(57)【要約】本発明は、透明前面電極を形成する第２の層（２）と、少なくとも１つの第１の背面電極（ＥＬ１）を有する第３の層（５）との間に位置し、エレクトロルミニッセント材料を有する第１の層（３）を具備する薄膜エレクトロルミニッセントディスプレイ型ディスプレイ装置に関する。このディスプレイ装置は、第３の層（５）の背面側に、エレクトロルミニッセント材料を有する第４の層（７）と、第１の電極（ＥＬ１）によって覆われない領域をマスクする少なくとも１つの第２の背面電極（ＥＬ２）を有する第５の層（９）とを具備する。本発明によれば、情報を、ディスプレイ装置の照明された背景に表示することができる。
2005527947.tif 000002
【特許請求の範囲】
【請求項１】
透明前面電極を形成する第２の層（２）と、少なくとも１つの第１の背面電極（ＥＬ１）を有する第３の層（５）との間に位置し、エレクトロルミニッセント材料を有する第１の層（３）を具備する薄膜エレクトロルミニッセントディスプレイ型ディスプレイ装置であって、
該ディスプレイは、前記第３の層（５）の背面側に、エレクトロルミニッセント材料を有する第４の層（７）と、
前記第１の電極（ＥＬ１）によって覆われない領域をマスクする少なくとも１つの第２の背面電極（ＥＬ２）を有する第５の層（９）とを具備する
ことを特徴とするディスプレイ装置。
【請求項２】
前記第２の電極（ＥＬ２）は、前記第１の電極（ＥＬ１）の端部に重ね合わされる
ことを特徴とする請求項１に記載のディスプレイ装置。
【請求項３】
前記第１の電極（ＥＬ１）は、ディスプレイ背景に対応する表面を覆い、少なくとも１つの中空領域（Ｅ１、Ｅｎ）を有し、
前記第２の電極（ＥＬ２）は前記中空領域の少なくとも一部をマスクする
ことを特徴とする請求項１に記載のディスプレイ装置。
【請求項４】
前記第１の電極は複数の中空領域を有し、前記第５の層（９）は前記中空領域（Ｅ１・・・Ｅｎ）を補完するよう形成された第２の電極を有し、前記第１および第２の電極は共にディスプレイ背景の全域をマスクする
ことを特徴とする請求項１ないし３のいずれか記載のディスプレイ装置。
【請求項５】
前記第１および第２の電極は、情報を表示しないよう作動される
ことを特徴とする請求項１に記載のディスプレイ装置。
【請求項６】
前記エレクトロルミニッセント層は、エレクトロルミニッセントインクから形成される
ことを特徴とする請求項１に記載のディスプレイ装置。
【請求項７】
前記電極は、液体培地に係止する導電粒子を堆積することにより得られる
ことを特徴とする請求項１に記載のディスプレイ装置。
【発明の詳細な説明】
【技術分野】
【０００１】
本発明は、薄膜エレクトロルミネッセントディスプレイの分野に関する。特に、車輌への適用において、車輌の操作または状態に関する情報を表示するために使用される薄膜エレクトロルミネッセントディスプレイに関する。
【背景技術】
【０００２】
エレクトロルミネッセントフィルムは、主として透明保護フィルムの間の複数の積層、すなわち、１つまたは複数の前面透明電極から形成された層と、誘電層と、エレクトロルミネッセント材料を備える層と、誘電層と、１つまたは複数の背面電極を備える層とからなる。この透明電極は、例えば、酸化インジウムスズ（ＩＴＯ）電極である。このエレクトロルミネッセント層は、半導体蛍光材料からなり、この金属電極は、アルミニウムであってよく、保護フィルムは、透明可撓性材料からなる。
【０００３】
前面に配置された２つの電極と背面層との間に、十分な電圧が印加されると、エレクトロルミネッセント材料は、発光材料となり、可視画像が形成され、その可視画像の輪郭は、背面電極の輪郭に対応する。発光色は、使用される蛍光材料に依存する。１つの作動素子が従って電極ごとに生成される。複数の独立に制御される素子は、例えば車輌のダッシュボード上に情報を表示するために、組み合わされてもよい。
【０００４】
これらの装置は、ある利点を持つ。例えば、液晶ディスプレイＬＣＤとの比較においては、薄膜エレクトロルミネッセントディスプレイは、その視野角がより大きく、より表示表面が広域であり、付加的な照明を必要とせず、より薄いという点で有利である。この種の素子は、従って、車輌ダッシュボードの背景照明に使用される。
【０００５】
図３に示される画像は、この手段により製造されうるディスプレイを例示する。三位置ディジタルディスプレイのこの例においては、各形状は、７つのエレクトロルミネッセント素子の組からなる。これらの素子は、当業者に知られるとおり、独立に制御される。作動された各素子は、背景面に対して発光し、この状態において可視的となる。
【０００６】
この種のディスプレイが、計器を照明するためにダッシュボードの全部あるいは一部の背景照明に使用される場合において、情報が同一のディスプレイを用いて表示されることが所望されるとき、問題が生ずる。事実、これらは互いに独立して制御および給電される範囲において、異なる素子は、少なくとも電極間に狭い間隔をもたらすよう配置される。この狭い間隔は、電気的問題を回避するため、少なくとも５／１０ｍｍでなければならない。素子間に位置するこの狭い間隔は、図３において短い棒状により、明瞭に理解することができる。これらを互いにより近接させることは不可能である。背景照明が、単一のディスプレイスクリーン上において、表示と重ね合わせられるよう所望される場合には、発光表示素子の輪郭を形成する形跡が残存するために、この狭い間隔が問題を引き起こす。こうした永続的形跡の存在は、インディケータの表示明瞭性および観測者の視覚的快適性の観点から満足できるものとはいえない。
【発明の開示】
【発明が解決しようとする課題】
【０００７】
本出願人の目的は、この問題を解決する手段を見出すことにある。
【課題を解決するための手段】
【０００８】
本発明によれば、透明前面電極を形成する第２の層と、少なくとも１つの第１の背面電極を有する第３の層との間に、エレクトロルミニッセント材料を有する第１の層を備える薄膜エレクトロルミニッセントディスプレイ型ディスプレイ装置であって、この第３の層の背面側にエレクトロルミニッセント材料を有する第４の層と、少なくとも１つの第２の背面電極により、第１の電極によってはカバーされない領域をマスクする第５の層とを備えるディスプレイ装置が提供される。この第２の電極は特に、第１の電極の端部に重なり合う。
【０００９】
本発明によれば、従って、異なる平面にディスプレイスクリーンの２つの作動素子を位置させることにより、電極間に狭い間隔を提供する必要性を回避することができる。
【００１０】
本発明の他の特徴によれば、第１の電極は、ディスプレイ背景に対応する領域を覆うとともに、少なくとも１つの中空領域を有し、第２の電極は、この中空領域の少なくとも一部をマスクする。本発明のある実施形態によれば、第１の電極が複数の中空領域を有するため、この中空領域を補完するために形成された第２の電極が層内に提供され、これにより第１および第２の電極はともにディスプレイ背景の全域をマスクする。
【００１１】
本発明の他の特徴によれば、第１および第２の電極は、情報を表示しないよう作動される。
【００１２】
本発明の解決手段によって、概ね、薄膜エレクトロルミニッセントディスプレイによってその背景が照明されるディスプレイ装置の全域または一部領域に、画像が表示されうる。ディスプレイ素子は、非作動状態中、前面において隠されている。これらは所望されていない際には、裸眼によっては不可視となる。当該表面部分の背景は、一様に照明される。
【００１３】
本発明の有利な方法において、エレクトロルミニッセント層は、エレクトロルミニッセントインクから形成され、特に電極は、液体培地に係止される導電性粒子を配置することにより得られる。
【００１４】
本発明のある実施形態は、付随の図面を参照した実施形態の説明により明らかにされる。
【発明を実施するための最良の形態】
【００１５】
図１は、本発明に係るエレクトロルミニッセントディスプレイの一部を示す。このディスプレイは複数の層１から１０により形成される。概ね、異なる層は、スクリーン印刷プロセスによって適用される。材料は、インクの形式で液体培地に係止される。このインクは、謄写技術に基づいて表面に適用され、一方、インクが適用される必要がない領域は、マスクされる。液体培地が除去された後、数ミクロン、５から１０ミクロンの薄膜層が、マスクされた領域に対応する空白領域とともに、基板上残存する。
【００１６】
透明媒体１は、スクリーン印刷によるプリントを許容する品質のものとする。
【００１７】
共通導電層２は、前面透明電極を形成し、透明媒体上に酸化インジウムスズ（ＩＴＯ）を堆積させることにより得られる。粒子は、液体培地内に係止され、これによって、基板上に堆積される。
【００１８】
層３は、エレクトロルミニッセントインクの形態の蛍光材料を、堆積し、スクリーン印刷することによって形成される。マスクは、蛍光しない領域に対応する。本実施形態においては、図２の画像が生成される。ルミニッセントインクが、空間Ｅ１・・・Ｅｎ以外の表面の全域に適用される。これらの空間は、デジタル形式であり、本実施形態においては走行距離計の三位置にグループ化される。この３グループは、３桁からなる数値を表示すべく構成される。
【００１９】
層４は、誘電透明材料から形成される。この材料は、ラッカー形式で適用される。
【００２０】
層５は、第１の背面電極ＥＬ１を含む。この電極は、空間Ｅ１・・・Ｅｎ以外の、ディスプレイ表面を連続的に覆い、その形状は、図２に示されるようなエレクトロルミニッセント層となる。この導電層は、スクリーン印刷により有利に適用され、その導電材料はＩＴＯである。
【００２１】
層６は、層４と同様に製造された透明誘電体である。
【００２２】
層７は、エレクトロルミニッセントインクの形式の蛍光材料を、層３と同様に堆積することにより形成される。適用パターンは、図３に示される。このパターンは図２のパターンのネガティブ画像である。しかしながら、その数値は、好ましくは、図２の空間より僅かに大きい。図４は、２つのパターンが重ね合わせられた方式を図示する。図３のセグメントの寸法がより大きいことにより、端部が重ね合わされる。
【００２３】
層８は、層４および６と同様に製造された透明誘電体である。
【００２４】
層９は、第２の金属電極ＥＬ２１・・・ＥＬ２ｎを備える。これらは、エレクトロルミニッセント層７のものに対応するデジタル形式である。これらの配置は図３に示される。電極のそれぞれは、他の電極とは独立に、電気的に制御される。図４を参照すると、第１の電極とその空間に対してこれらが占める相対位置が示されており、電極ＥＬ２１・・・ＥＬ２ｎは、空間Ｅ１・・・Ｅｎを完全にマスクするように見える。数値の寸法は、作動するデジタル桁が空間をマスクし、一方その端部に重なり合うように、選択される。作動するデジタル桁は、点線により示される。
【００２５】
層１０は、他の絶縁層と同様に製造された透明誘電体である。
【００２６】
図５は、本発明に係るディスプレイによって形成された画像の一例を示す。この画像は、数字１２８である。背景が完全に照明されているため、この画像は、適切な桁（ディジット）をスイッチオフすることにより得られる。観察者は、ディスプレイの正面に位置し、照明された背景上に非照明の数字を見る。
【００２７】
他の変形例は、本発明の要旨から逸脱することなく、可能である。
【００２８】
数値を表示するために、第１のエレクトロルミニッセント層３は照明されなくともよく、数字を形成する第２のエレクトロルミニッセント層７が照明されてもよい。「ネガティブ」型ディスプレイはこの場合「ポジティブ」型ディスプレイとなる。
【図面の簡単な説明】
【００２９】
【図１】本発明に係るエレクトロルミニッセントディスプレイの概略図である。
【図２】第３の層にある第１の電極により形成される画像である。
【図３】第４の層にある第２の電極により形成される画像である。
【図４】第１および第２の電極による重畳画像を示す図である。
【図５】本発明に係るディスプレイによって形成される画像を示す図である。
【図１】
2005527947.tif 000003
【図２】
2005527947.tif 000004
【図３】
2005527947.tif 000005
【図４】
2005527947.tif 000006
【図５】
2005527947.tif 000007
【国際調査報告】
2005527947.tif 000008
2005527947.tif 000009
2005527947.tif 000010
2005527947.tif 000011